(57)【要約】【課題】リモートコントロール装置でテレビジョン受像機の選局を行う際の操作性を改善する。【解決手段】テレビジョン受像機として、チューナで過去に受信したチャンネルの履歴を所定の複数個記憶するメモリと、そのメモリに記憶された過去の受信履歴の一覧を前記表示部に表示させ、その表示に基づいて選択操作されたチャンネルをチューナで受信させる制御を行う制御部とを備えた構成とした。またリモートコントロール装置として、選局操作部で指定された過去の受信チャンネルを所定数記憶するメモリと、そのメモリが記憶した過去の受信チャンネル又はその放送局の一覧を表示させる表示部とを備えた構成とした。【選択図】図４
2007281900.tif 000002
【特許請求の範囲】
【請求項１】
放送信号を受信するチューナと、
前記チューナで受信した放送信号に含まれる映像の表示処理を行う映像処理部と、
前記映像処理部で処理された映像を表示させる表示部と、
前記チューナで過去に受信したチャンネルの履歴を所定の複数個記憶するメモリと、
所定の指令に基づいて、前記チューナで受信するチャンネルを制御し、前記メモリに記憶された過去の受信履歴の一覧を前記表示部に表示させ、その表示に基づいて選択操作されたチャンネルを前記チューナで受信させる制御を行う制御部とを備えたことを特徴とする
テレビジョン受像機。
【請求項２】
請求項１記載のテレビジョン受像機において、
前記メモリへの過去に受信したチャンネルのデータの記憶は、予め決めた所定時間以上継続して該当するチャンネルを受信した場合に行うことを特徴とする
テレビジョン受像機。
【請求項３】
請求項１記載のテレビジョン受像機において、
前記表示部での過去の受信履歴の表示は、受信したチャンネル又は放送局名と、番組名を表示することを特徴とする
テレビジョン受像機。
【請求項４】
請求項３記載のテレビジョン受像機において、
前記表示される番組名は、受信又はダウンロードした番組表のデータから現在放送中の番組名であることを特徴とする
テレビジョン受像機。
【請求項５】
テレビジョン受像機で受信するチャンネルを指示するリモートコントロール信号を送信するリモートコントロール装置において、
受信チャンネルを指定する選局操作部と、
前記選局操作部で指定された受信チャンネルに対応したリモートコントロール信号を生成させる制御部と、
前記制御部で生成されたリモートコントロール信号を送信する送信部と、
前記選局操作部で指定された過去の受信チャンネルを所定の複数記憶するメモリと、
前記メモリが記憶した過去の受信チャンネル又はその放送局の一覧を表示させる表示部とを備えたことを特徴とする
リモートコントロール装置。
【請求項６】
請求項５記載のリモートコントロール装置において、
前記制御部は、前記表示部に表示された過去の受信チャンネルの一覧の中の特定チャンネルを指定する前記選局操作部の操作があると、該当する特定チャンネルの受信を指示するリモートコントロール信号を生成させて、前記送信部から送信させることを特徴とする
リモートコントロール装置。
【発明の詳細な説明】
【技術分野】
【０００１】
本発明は、テレビジョン受像機及びリモートコントロール装置に関し、特にリモートコントロール装置からのリモートコントロール信号の受信で選局が可能なテレビジョン受像機、及びその選局を操作するリモートコントロール装置に関する。
【背景技術】
【０００２】
テレビジョン放送信号を受信するチューナを内蔵したテレビジョン受像機は、リモートコントロール装置が付属したものが多く、そのリモートコントロール装置に配置された選局キーをユーザが操作することで送信されるリモートコントロール信号（一般には赤外線信号）を受信することで、指定された選局キーに対応してプリセットされたチャンネルをチューナで選局させる制御を行っている。
【０００３】
具体的には、例えばリモートコントロール装置には、１から１２までの数字が記載（印刷）された数字キーが選局キーとして配置されて、それぞれの選局キーの操作で、対応してプリセットされたチャンネルを直接選局することができる。
【０００４】
特許文献１には、リモートコントロール装置についての開示がある。
【特許文献１】特開２００６−３３０９８号公報
【発明の開示】
【発明が解決しようとする課題】
【０００５】
ところで、テレビジョン放送で放送サービスされるチャンネル数は増大する傾向にあり、従来の１２個の数字キーだけによる選局では、選局できる数が不足するという問題がある。この問題点を解決するためには、例えば、リモートコントロール装置に配置された数字キーをいわゆるテンキーとして利用して（０は１０のキーで代用）、２桁又は３桁のチャンネル番号を入力できるようにして、放送サービスされている多数のチャンネルの中から希望するチャンネルをダイレクトに選局できるようにしたものが実用化されている。
【０００６】
ところが、２桁又は３桁のチャンネル番号を入力する場合の実際のキー入力操作としては、チャンネル番号を入力するための２つ（２桁の場合）又は３つ（３桁の場合）のキー操作の他に、入力番号を確定させるキー操作が必要で、また放送サービスが多数存在する場合には、その放送サービス（地上波デジタル、ＢＳデジタル、ＣＳデジタルなど）の種類を確定させるキー操作が必要で、非常に多くのキー操作が必要である。また、ユーザが希望する番組が放送されている２桁又は３桁のチャンネル番号を正確に覚えておく必要があり、使い勝手がよい操作とは言えない。
【０００７】
この問題点を解決する手法の１つとして、特許文献１に記載されたリモートコントロール装置では、ジャンプキーと称される操作キーを設けて、そのジャンプキーが操作された場合に、１つ前に受信していたチャンネルに戻る操作ができるようにしたものが実用化されている。ところが、ジャンプキーで操作できるのは、１つ前に受信していたチャンネルだけであり、例えば少し前に受信していたチャンネルを再度受信したいと思っても、そのチャンネルが１つ前の受信チャンネルである場合には、再度、そのチャンネルのチャンネル番号を指定する操作をしなければならず、操作が面倒である問題があった。
【０００８】
本発明はかかる点に鑑みてなされたものであり、リモートコントロール装置でテレビジョン受像機の選局を行う際の操作性を改善することを目的とする。
【課題を解決するための手段】
【０００９】
第１の発明は、テレビジョン受像機において、チューナで過去に受信したチャンネルの履歴を所定の複数個記憶するメモリと、そのメモリに記憶された過去の受信履歴の一覧を前記表示部に表示させ、その表示に基づいて選択操作されたチャンネルをチューナで受信させる制御を行う制御部とを備えたものである。
【００１０】
かかる第１の発明によると、テレビジョン受像機の表示部に過去の受信履歴が表示され、その受信履歴に基づいた選局操作が可能になる。
【００１１】
第２の発明は、リモートコントロール装置において、選局操作部で指定された過去の受信チャンネルを所定数記憶するメモリと、そのメモリが記憶した過去の受信チャンネル又はその放送局の一覧を表示させる表示部とを備えたものである。
【００１２】
かかる第２の発明によると、リモートコントロール装置の表示部に過去の受信履歴が表示され、その受信履歴に基づいた選局操作が可能になる。
【発明の効果】
【００１３】
本発明によると、過去に受信した履歴があるチャンネルについては、表示から選択する操作を行うだけで簡単に選局できるようになる。従って、受信できるチャンネル数が多数ある場合でも、過去に受信した履歴があれば、少ないキー操作で簡単に受信できるようになる。
【発明を実施するための最良の形態】
【００１４】
以下、本発明の第１の実施の形態を、図１〜図７を参照して説明する。
【００１５】
図１は、本例のシステム構成例を示した図である。本例のシステムは、テレビジョン受像機１０と、そのテレビジョン受像機１０を遠隔制御するリモートコントロール装置３０とで構成される。
テレビジョン受像機１０は、２つのアンテナ線接続端子１１ａ，１１ｂを備えて、地上波を受信するアンテナが端子１１ａに接続され、衛星放送（ＢＳ：Broadcasting Satellite）波を受信するアンテナが端子１１ｂに接続される。これらのアンテナ線接続端子１１ａ，１１ｂはチューナ１２に接続してあり、チューナ１２で地上波の放送信号及び衛星放送信号を受信することができる。チューナ１２での受信チャンネルは、制御部２１により制御される。
【００１６】
チューナ１２で受信した放送信号は、映像処理部１３に供給して表示させるために必要な各種映像処理を行う。映像処理部１３で処理された映像信号は、映像合成部１４に供給して、ＯＳＤ処理部１７が出力するオンスクリーンディスプレイ（ＯＳＤ：On Screen Display）としての表示を行うための映像信号を合成し、その合成された映像信号を表示駆動部１５に供給する。表示駆動部１５は、供給された映像信号に基づいて表示パネル１６での映像表示を駆動する。表示パネル１６としては、例えば液晶画像表示パネルが使用される。
【００１７】
ＯＳＤ処理部１７が出力する映像信号によるＯＳＤ表示は、表示パネル１６上に各種案内用の文字，数字，図形などを表示させて、チャンネル番号、音量などを表示させるための信号の他に、各種設定を行うためのメニュー画面表示、各種案内画面表示などがある。後述する選局履歴表示用の画面表示についても、このＯＳＤ処理部１７が出力する映像信号により表示される。表示させる案内映像がない場合には、映像合成部１４での合成は行われない。
【００１８】
チューナ１２から表示パネル１６まででの受信映像処理及びＯＳＤ処理部１７でのＯＳＤ表示処理は、このテレビジョン受像機１０の動作を制御する中央制御ユニットとしての制御部２１により制御される。制御部２１は、制御バスラインを介してメモリ２２とデータ転送が行える構成としてあり、制御を行う上で必要なデータがメモリ２２に記憶される。後述する選局履歴情報についても、メモリ２２に記憶させるようにしてある。
【００１９】
テレビジョン受像機１０の操作は、受像機１０に配置された操作部２３の操作を制御部２１が判断することで可能である。また、リモートコントロール装置３０から送信されるリモートコントロール信号を受信するリモートコントロール信号受信部２４を備え、そのリモートコントロール信号受信部２４でのリモートコントロール信号の受信を制御部２１が判断することでも可能な構成としてある。本例のリモートコントロール信号受信部２４は、赤外線信号を受信（受光）する受信部として構成してある。なお、図１においては、テレビジョン受像機１０の音声処理系については省略してある。
【００２０】
リモートコントロール装置３０は、例えば図２に示すように多数の操作キー４１〜４９が配置してあり、それぞれの操作キー４１〜４９の操作を制御部３１が判断して、その判断した操作に対応したリモートコントロール信号（赤外線信号）を、リモートコントロール信号送信部３３から送信（発光）させる構成としてある。送信させるリモートコントロール信号のコードは、制御部３１に接続されたメモリ３２に記憶させてある。
【００２１】
ここで、図２に示したリモートコントロール装置３０のキー配置例について説明すると、例えば１〜１２の数字キー４１と、チャンネルアップダウンキー４２と、音量アップダウンキー４３と、電源キー４４と、上下左右キー４５と、決定キー４６と、メニューキー４７と、ジャンプキー４８、放送種類指定キー４９などが、リモートコントロール装置３０の表面には配置してある。１２個の数字キー４１は、それぞれのキーにプリセットされたチャンネルへの選局を直接指定する選局キーである。メニューキー４７は、メニュー画面を表示させるキーである。ジャンプキー４８は、過去に受信したチャンネルの一覧の画面をテレビジョン受像機側に表示させるキーである。また、リモートコントロール装置３０を構成する筐体の上端には、リモートコントロール信号送信部３３が内蔵させてある。
【００２２】
次に、リモートコントロール装置３０のキー操作で、テレビジョン受像機１０のチャンネル選択操作（選局操作）を行うための処理について説明する。本例のテレビジョン受像機１０内のメモリ２２には、チューナ１２で過去に受信したチャンネルを記憶する選局履歴記憶エリアを備える。図３は、選局履歴記憶エリアの構成例を示した図である。ここでは、チューナ１２で過去に受信したチャンネルを、１個前に受信したチャンネルから、１０個前に選局したチャンネルまで、１０個の選局履歴を、順序を付与して、記憶させるようにしてある。記憶させるチャンネルとしては、そのチャンネルの放送サービスを示す放送種別（地上波アナログ、地上波デジタル、ＢＳアナログ、ＢＳデジタル、ＣＳデジタルなど）と、所定桁数（例えば１桁〜３桁）のチャンネル番号を記憶させるようにしてある。なお、このメモリ２２の一部の記憶エリアを使用して構成される選局履歴記憶エリアを、以下の説明では選局履歴メモリと称する。
【００２３】
そして、ユーザがリモートコントロール装置３０のジャンプキー４８を押したことで送信されるリモートコントロール信号を、テレビジョン受像機１０の受信部２４で受信したことを、制御部２１が判断した場合に、この選局履歴記憶エリアの記憶データに基づいて、選局履歴を表示させる（図５）。その選局履歴一覧の表示は、ＯＳＤ処理部１７でのＯＳＤ表示処理で行われる。そして、リモートコントロール装置３０の上下左右キー４５と決定キー４６の操作などで、一覧の中から特定のチャンネルを選択する操作があると、そのとき選択されたチャンネルを、チューナ１２で受信させて、表示パネル１６で表示される映像を該当するチャンネルの放送映像にする。
【００２４】
図４のフローチャートは、選局履歴情報の記憶処理と、その記憶された情報に基づいた選局処理を示したものである。図４に示した選局処理は、テレビジョン受像機１０の制御部２１の制御で行われるものであり、まず、制御部２１は、リモートコントロール信号受信部２４での受信及び操作部２３での操作を判断して、選局操作があるか否か判断する（ステップＳ１１）。この判断で、選局操作がないと判断した場合には、選局操作があるまで待機する。
【００２５】
そして、選局操作があると判断した場合には（ステップＳ１１）、リモートコントロール装置３０のジャンプキー４８（図２）の操作による選局操作か否か判断する（ステップＳ１２）。ジャンプキー４８（図２）の操作による選局操作であると判断した場合には、ステップＳ１９以降の選局履歴表示に基づいた選局処理に移る。この選局履歴表示に基づいた選局処理については後述する。
【００２６】
ステップＳ１２で、ジャンプキー４８以外の操作による選局操作であると判断した場合には、そのとき受信したリモートコントロール信号などに基づいた選局処理を行い、該当するチャンネルにチューナ１２での受信チャンネルを切り替えさせる。その際に、受信する放送サービスの切り替えが必要な場合には、その切り替え処理も行う。なお、ここでのジャンプキー４８以外の操作による選局操作とは、例えばリモートコントロール装置３０に配置された数字キー（選局キー）４１の操作や、チャンネルアップダウンキー４２の操作がある。
【００２７】
そして、その選局操作で、同じチャンネルを予め決めた一定時間以上（例えば３秒以上）継続して受信したか否か判断する（ステップＳ１３）。この判断は、チャンネルアップダウンキー４２の操作などで一時的に受信したチャンネルを履歴から排除するために行うものである。ここで、一定時間未満の受信である場合には、ステップＳ１１の判断に戻る。一定時間以上の連続した受信であると判断した場合には、選局履歴メモリの１番目に、現在選局した放送サービスのチャンネルと同じチャンネルのデータが記憶されているか否か判断する（ステップＳ１４）。この判断で、同じチャンネルが１番目に記憶されていると判断した場合には、ステップＳ１１の判断に戻る。
【００２８】
そして、同じチャンネルが１番目に記憶されていないと判断した場合には、選局履歴メモリの先頭以外の順序に、現在選局した放送サービスのチャンネルと同じチャンネルのデータが記憶されているか否か判断する（ステップＳ１５）。この判断で、同じチャンネルが２番目以降に記憶されていると判断した場合には、該当するチャンネルに関する選局履歴メモリの記憶データを削除して（ステップＳ１６）、現在の選局チャンネルを、選局履歴メモリの先頭に記憶させ、他の記憶データについては必要により順序を繰り下げさせる（ステップＳ１７）。また、ステップＳ１５で現在選局した放送サービスのチャンネルと同じチャンネルのデータが記憶されていないと判断した場合には、直接ステップＳ１７の処理に移り、現在の選局チャンネルを、選局履歴メモリの先頭に記憶させ、他の記憶データについては順序を繰り下げさせ、順序の最後に記憶されたデータを削除する。このステップＳ１７の処理が行われると、ステップＳ１１の判断に戻り、次の選局指示があるまで待機する。
【００２９】
次に、ステップＳ１２でジャンプキーの操作に基づいた選局指示があると判断した場合の処理について説明すると、ジャンプキーの操作に基づいた選局指示があると判断した場合には、現在の選局履歴メモリの記憶データに基づいて、表示パネル１６上に選局履歴リストを表示させる（ステップＳ１８）。選局履歴の表示例については後述する。そして、その表示された選局リストの中の選択されるチャンネルを示すカーソル位置などの移動操作があるか否か判断し（ステップＳ１９）、移動操作がある場合にはステップＳ１８に戻ってリスト表示を対応した状態に変更させる。その後、決定キー４６の操作などによるいずれかのチャンネルの確定操作があるか否か制御部２１が判断し（ステップＳ２０）、確定操作がない場合にはステップＳ１８での選局リスト表示を継続して行う。
【００３０】
ステップＳ２０で確定させる操作に対応した信号を判別すると、そのときにカーソルが位置するチャンネルを選局するように、チューナ１２の選局制御を行う（ステップＳ２１）。そして、その選局が行われると、リスト表示を消して、ステップＳ１１に戻って次に選局操作が行われるまで待機する。
【００３１】
なお、図４のフローチャートの処理では、ステップＳ２１でリスト表示から選局したチャンネルについては、選局履歴リストに加える処理をしていないが、このステップＳ２１で選局した後に、ステップＳ１３以降の判断処理をして、選局リストに加えるようにしてもよい。
【００３２】
図５は、選局履歴リストの表示例を示した図である。この例では、表示画面５０の右上に選局履歴リスト５１を表示させた例である。この例では、順序が１番目のチャンネルから４番目のチャンネルまで４局を表示させた例としてあり、その中の１つのチャンネル表示には、選択されるチャンネルであることを示すカーソル表示５２がある。各チャンネル表示には、放送種別がチャンネル番号と共に表示されている。そして、選局履歴メモリに記憶された他のチャンネルについては、表示位置移動を示す矢印の表示５３，５４があり、この表示５３，５４をリモートコントロール装置３０のキー操作で指示することで、選局履歴メモリに記憶された１０番目までの履歴を表示させることができ、ユーザ所望のチャンネルを選択して、その選択されたチャンネルへの選局を行うことができる。
【００３３】
図６の例は、選局履歴リストの別の表示例を示した図である。この例では、表示画面５０の右上に表示させる選局履歴リスト５１として、チャンネル番号と共に、そのチャンネルで現在放送中の番組名を表示させた例である。即ち、チャンネル番号表示５５の他に、そのチャンネルで放送中の番組名表示５６を行うようにした例である。番組名表示５６を行う場合には、例えば、放送信号に付加された電子番組情報を使用することで、該当する情報が得られる。或いは、テレビジョン受像機３０として、インターネットに接続させる機能を備えて、番組情報が得られる所定のサイトに接続して、番組情報を得るようにしてもよい。
【００３４】
図７の例は、選局履歴リストのさらに別の表示例を示した図である。この例では、表示画面５０の右上に表示させる選局履歴リスト５１として、チャンネル番号と共に、そのチャンネルで現在放送中の番組名と、最後にそのチャンネルを表示させた際に視聴した番組名を表示させた例である。即ち、チャンネル番号表示５５の他に、そのチャンネルで放送中の番組名表示５６と、過去に視聴した番組名表示５７を行うようにした例である。過去に視聴した番組名についても、例えば、放送信号に付加された電子番組情報を使用して得て、選局履歴メモリに記憶させておけば対処できる。
【００３５】
このように本例のテレビジョン受像機によると、過去の所定個の選局情報に基づいて受信チャンネルを選択する操作が可能であり、受信可能なチャンネルが多数存在するような場合でも、過去の履歴に基づいた簡単な選局操作が可能になる。例えば、受信するチャンネルとして、ユーザの好みが反映するような場合には、過去の履歴で受信したいチャンネルが存在する可能性が高く、チャンネル番号の桁数が多い場合でも、簡単に所望のチャンネルを選局できる効果がある。
【００３６】
次に、本発明の第２の実施の形態を、図８及び図９を参照して説明する。この図８及び図９において、第１の実施の形態で説明した図１〜図７に対応する部分には同一符号を付す。本例においては、テレビジョン受像機の選局操作を行うリモートコントロール装置に表示部を設け、そのリモートコントロール装置の表示部に、選局履歴を表示させて、その履歴から選局できるようにしたものである。
【００３７】
図８は本例のリモートコントロール装置３０′の構成を示す図である。リモートコントロール装置３０′は、後述する図９に示すように多数の操作キー４１〜４９が配置してあり、それぞれの操作キー４１〜４９の操作を制御部３１′が判断して、その判断した操作に対応したリモートコントロール信号（赤外線信号）を、リモートコントロール信号送信部３３から送信（発光）させる構成としてある。送信させるリモートコントロール信号のコードは、制御部３１に接続されたメモリ３２′に記憶させてある。また本例のメモリ３２′には、キー操作で指定した選局履歴についても、最新のものを所定の複数個記憶する選局履歴メモリも兼ねるようにしてある。さらにリモートコントロール装置３０′は、表示部６０を備えて、制御部３１′の制御で、メモリ３２′に記憶された選局履歴リストを表示させるようにしてある。
【００３８】
図９は、リモートコントロール装置３０′の外観形状の例を示した図である。本例の場合には、リモートコントロール装置本体を構成する筐体の正面の上部に、液晶表示パネルなどで構成される表示部６０を配置して、４つの選局履歴を表示させる構成としてある。リモートコントロール装置３０′のキー配置例としては、例えば１〜１２の数字キー４１と、チャンネルアップダウンキー４２と、音量アップダウンキー４３と、電源キー４４と、上下左右キー４５と、決定キー４６と、メニューキー４７と、ジャンプキー４８と、放送種類選択キー４９などが配置してある。また、リモートコントロール装置３０を構成する筐体の上端には、リモートコントロール信号送信部３３が内蔵させてある。
【００３９】
そして本例のリモートコントロール装置３０′では、キー操作で選局操作がある際には、その選局操作を最新のものから過去の所定個数をメモリ３２′に記憶させる制御を制御部３１′が行い、ジャンプキー４８の操作があると、制御部３１′が、その履歴を読み出して、表示部６０に表示させるようにしてある。表示された状態で、例えば上下キー４５の操作を行うことで、記憶された他のチャンネルについても表示させることが可能である。また、表示中には、図９に示すようにカーソル表示６１を行って、選択位置を示すようにしてある。
【００４０】
そして、カーソル表示６１でいずれかのチャンネル番号表示を指定した状態で、決定キー４６などが操作されると、そのチャンネルへの選局を指示するリモートコントロール信号を制御部３１′が生成させて、送信部３３から送信させる。
【００４１】
メモリ３２′への過去の選局履歴の記憶については、例えば図４に示した第１の実施の形態でテレビジョン受像機側のメモリが記憶する処理と同様の処理で行うことができる。なお、リモートコントロール装置３０′のチャンネルアップダウンキー４２が操作された場合には、どのチャンネルが選局されたかリモートコントロール装置側で判断することができないので、チャンネルアップダウンキー４２が操作された場合の操作については、メモリに記憶させないようにする。但し、リモートコントロール装置３０′がテレビジョン受像機側から受信チャンネルのデータを受信する双方向通信が可能な構成である場合には、チャンネルアップダウンキー４２が操作された場合の選局チャンネルを履歴に加えるようにしてもよい。
【００４２】
本例のように、リモートコントロール装置側で履歴を記憶して表示させる場合にも、第１の実施の形態のように、テレビジョン受像機側で対処する場合と同様の操作性が得られる。
【００４３】
なお、上述した各実施の形態では、それぞれ履歴の表示として、放送種別とチャンネル番号とを表示させるようにしたが、放送局名、チャンネル名称、放送局ごとの識別マークなどを表示させるようにしてもよい。また、過去の選局履歴についても、図３の例では最新の１０個の履歴を記憶させ、その内の４つを表示させる例としたが、より多くの履歴を記憶させたり、表示させてもよい。
【００４４】
また、ここまで説明した各実施の形態では、受信する放送サービスとして、チューナで直接放送波を受信して、その受信した放送信号から映像信号及び音声信号を得て、表示や音声出力を行う場合の選局処理について説明したが、例えば、インターネットに接続可能なテレビジョン受像機として構成して、インターネット上の放送サービスに準じた映像配信が行われる所定のサイトにアクセスして、そのサイト上のチャンネル番号（アクセス番号、プログラム番号など）を指定して、映像プログラムの配信を受ける場合の、チャンネル番号に相当する番号を指定して映像の配信を受ける処理の選局操作（選択操作）にも適用可能である。
【図面の簡単な説明】
【００４５】
【図１】本発明の第１の実施の形態による構成例を示すブロック図である。
【図２】本発明の第１の実施の形態で使用されるリモートコントロール装置の構成例を示す正面図である。
【図３】本発明の第１の実施の形態によるメモリの記憶データの例を示す説明図である。
【図４】本発明の第１の実施の形態による選局処理例を示すフローチャートである。
【図５】本発明の第１の実施の形態による表示例(例１)を示す説明図である。
【図６】本発明の第１の実施の形態による表示例(例２)を示す説明図である。
【図７】本発明の第１の実施の形態による表示例(例３)を示す説明図である。
【図８】本発明の第２の実施の形態による構成例を示すブロック図である。
【図９】本発明の第２の実施の形態で使用されるリモートコントロール装置の構成例を示す正面図である。
【符号の説明】
【００４６】
１０…テレビジョン受像機、１１ａ，１１ｂ…アンテナ線接続端子、１２…チューナ、１３…映像処理部、１４…映像合成部、１５…表示駆動部、１６…表示パネル、１７…ＯＳＤ処理部、２１…制御部、２２…メモリ、２３…操作部、２４…リモートコントロール信号受信部、３０，３０′…リモートコントロール装置、３１，３１′…制御部、３２，３２′…メモリ、３３…リモートコントロール信号送信部、４１〜４８…操作キー、６０…表示部
【図１】
2007281900.tif 000003
【図２】
2007281900.tif 000004
【図３】
2007281900.tif 000005
【図４】
2007281900.tif 000006
【図５】
2007281900.tif 000007
【図６】
2007281900.tif 000008
【図７】
2007281900.tif 000009
【図８】
2007281900.tif 000010
【図９】
2007281900.tif 000011